(57)【要約】【課題】従来のボクシング練習用のパンチングミットを改良する。【解決手段】硬質性のスポンヂを軟質性のカバーにて被覆しかつ裏面部に手の指を差し込む指差込部を付設してなるボクシングの練習用パンチングミットにおいて、前記パンチングミットの指差込部側に裏面用のパンチングミットを取り付けて表裏のパンチングミットを一体成型してなり、かつ前記両面式パンチングミットの裏面側のパンチングミット部表面側のパンチングミットと同形かつ同質素材で成型されるボクシング練習用の両面式パンチングミットの提供。【選択図】　図１
2004135772.tif 000002
【特許請求の範囲】
【請求項１】
硬質性のスポンヂを軟質性のカバーにて被覆しかつ裏面部に手の指を差し込む指差込部を付設してなるボクシングの練習用パンチングミットにおいて、前記パンチングミットの指差込部側に裏面用のパンチングミットを取り付けて表裏のパンチングミットを一体成型してなることを特徴とするボクシング練習用の両面式パンチングミット。
【請求項２】
前項のボクシング練習用の両面式パンチングミットにおいて、裏面側のパンチングミット部が表面側のパンチングミットと同形かつ同質素材で成型される請求項１記載のボクシング練習用の両面式パンチングミット
【請求項３】
請求項１記載のボクシング練習用パンチングミットにおいて、表面パンチングミットの指差込部の表側に帯体を取り付けかつ該帯体の先端に手首を締め付ける手首締着帯を連着し、更に裏面パンチングミット部の手首側に弾材を取り付けてなる請求項１記載及び２記載のボクシング練習用の両面式パンチングミット。
【請求項４】
請求項１記載のボクシング練習用パンチングミットにおいて、表裏部にパンチング部を有するパンチング本体を片手又は両手に装着し、相手方のパンチンググローブのパンチを表裏面のパンチング部の両面で防ぐ請求項１、２、３及び４記載のボクシング練習用の両面式パンチングミット。
【発明の詳細な説明】
【０００１】
【発明に属する技術分野】
本発明はボクシングの練習用に使用されるパンチングミットに関するが、詳しくは従来の片面式のパンチングミットを両面式に改良したボクシングの練習用パンチングミットに関するものである。
【０００２】
【従来の技術】
従来のボクシング練習用のパンチングミットは、専ら手の平側をパンチングするものである。例えば、図６に示すようにパンチングミット本体２１の指差込部２４に手の平を差し込みカバー２２で被覆されているスポンヂ２３をパンチするものが一般的である。すなわち、パンチングミット本体２１には、硬質性のスポンヂ２３を軟質性のカバー２２で被覆されており、更にパンチングミット本体２１の裏面側に手を差し込み指が先端から飛び出すことを可能にした指差込部２４が取り付けられている。このように構成されたパンチングミット本体２１に手首Ａが外に出る状態で手の平を内側にして手を指差込部２４に差し込み、相手方のパンチンググローブ２５のパンチをパンチングミット本体２１の手の平側で受け止める方法で練習を繰り返している。
【０００３】
【発明が解決しようとする課題】
かかる従来の片面方式によるパンチングミットでは、常に手の平側の一面のみでの練習のために特定の場所と位置での練習を可能であるが、あらゆる角度からのスピーディーなパンチに対する練習には適していない欠点があった。このような欠点を解消するところに、本発明が解決しようとする課題がある。
【０００４】
【課題を解決するための手段】
本発明は上記の如き問題を解決するために開発したものであって、硬質性のスポンヂを軟質性のカバーにて被覆しかつ裏面部に手の指を差し込む指差込部を付設してなるボクシングの練習用パンチングミットにおいて、前記パンチングミットの指差込部側に裏面用のパンチングミットを取り付けて表裏のパンチングミットを一体成型してなることを特徴とするボクシング練習用の両面式パンチングミットの提供にあり、また前記のボクシング練習用パンチングミットにおいて裏面側のパンチングミット部が表面側のパンチングミットと同形かつ同質素材で成型されるボクシング練習用の両面式パンチングミットの提供にあり、また前記のボクシング練習用パンチングミットにおいて表面パンチングミットの指差込部の表側に帯体を取り付けかつ該帯体の先端に手首を締め付ける手首締着帯を連着し、更に裏面パンチングミット部の手首側に弾材を取り付けてなるボクシング練習用の両面式パンチングミットの提供にあり、更に前記のボクシング練習用パンチングミットにおいて表裏部にパンチング部を有するパンチング本体を片手又は両手に装着し、相手方のパンチンググローブのパンチを表裏面のパンチング部の両面で防ぐボクシング練習用の両面式パンチングミットの提供にある。
【０００５】
【発明の実施の形態】
本発明の実施形態は、硬質性のスポンヂを軟質性のカバーにて被覆しかつ裏面部に手の指を差し込む指差込部を付設してなるボクシングの練習用パンチングミットにおいて、前記パンチングミットの指差込部側に裏面用のパンチングミットを取り付けて表裏のパンチングミットを一体成型してなることを特徴とするボクシング練習用の両面式パンチングミットであるから、従来方式の手の平側だけの練習ではなく手の甲側も使用できるので手の平を代えるだけで瞬時にパンチングを防ぐ練習をすることが可能となる。
【０００６】
また本発明の実施形態は、ボクシング練習用の両面式パンチングミットにおいて裏面側のパンチングミット部が表面側のパンチングミットと同形かつ同質素材で成型されるボクシング練習用の両面式パンチングミットであるから、裏面側でも従来の表面側のみのパンチングミットと同様な練習を行うことができる。
【０００７】
また本発明の実施形態は、ボクシング練習用の両面式パンチングミットにおいて表面パンチングミットの指差込部の表側に帯体を取り付けかつ該帯体の先端に手首を締め付ける手首締着帯を連着し、更に裏面パンチングミット部の手首側に弾材を取り付けてなるボクシング練習用の両面式パンチングミットであるから、従来のパンチングミットよりもミット本体を手の平と手首に締着させることができる。
【０００８】
また本発明の実施形態は、ボクシング練習用の両面式パンチングミットにおいて表裏部にパンチング部を有するパンチング本体を片手又は両手に装着し、相手方のパンチンググローブのパンチを表裏面のパンチング部の両面で防ぐボクシング練習用の両面式パンチングミットであるから、常に実戦に合った練習を連続的にしかも短時間に行なうことができる。
【０００９】
【実施例】
以下、図面に従って本発明の実施例について説明する。
図１と図２は本発明からなるボクシング練習用の両面式パンチングミットを示したものであり、１はそのパンチングミット本体である。このパンチングミット本体１は、従来の片面式からなる表面パンチングミット部２と本発明の両面式からなる裏面パンチングミット部５とから構成されている。表面パンチングミット部２は、図６に示すようにパンチングミット本体２１の指差込部２４に手の平を差し込みカバー２２で被覆されているスポンヂ２３をパンチするものが一般的である。すなわち、パンチングミット本体２１には、硬質性のスポンヂ２３を軟質性のカバー２２で被覆されており、更にパンチングミット本体２１の裏面側に手を差し込み指が先端から飛び出すことを可能にした指差込部２４が取り付けられている。このように構成されたパンチングミット本体２１に手首Ａが外に出る状態で手の平を内側にして手を指差込部２４に差し込み、相手方のパンチンググローブ２５のパンチをパンチングミット本体２１の手の平側で受け止める方法で練習を繰り返している。
【００１０】
一方、裏面パンチングミット部５は従来の表面パンチングミット部２と同様にスポンヂ３をカバーにて被覆してなるパンチングミットを表面パンチング部２の裏側に取り付けられている。すなわち、本発明からなる両面式のパンチングミットは従来の表面パンチングミット部２の反対側に表面パンチングミット２と同形で同質素材からなる裏面パンチングミット部５を取り付け、表裏側のパンチングミット部２、５を使用してボクシングの練習ができるようにしたところに特徴を有するものである。図中４は指差込部６はミット連着帯、７はミット保持帯、８は係止具、９は手首締着帯、１０はマジックバンドである。
【００１１】
図３は、本発明からなるボクシング練習用の両面式パンチングミットの組立分解図である。まず、従来の片面式からなる表面パンチングミット部２の指差込部４の手首側中央部に帯体のミット連着帯６を縫い付け、更にその先端にマジックバンド１０、１０付きの手首締着帯９を縫い付ける。一方、本発明の両面式からなる裏面パンチングミット部５の手首側の両側部にゴムバンドなどの素材からなるミット保持帯７を縫い付ける。このように表面パンチングミット部２と裏面パンチング部５とが構成されたならば、表面パンチングミット部２の指差込部４側に裏面パンチングミット部５の片面側を４つの係止具８、８、８、８を介して取り付ける。そうすれば、図１に示すような両面式のパンチング本体１が出来あがる。
【００１２】
図４と図５は、本発明からなる両面式パンチングミットを使用してボクシングを練習する状態を示したものである。まず、図４は従来の片面式パンチングミットで練習する場合であり、表面パンチングミット部２の指差込部４に両手を差し込み手首Ａに手首締着帯９を締め付け、両手に本発明からなるパンチングミット本体１を装着する。このような状態で相手方の左手のパンチンググローブ１１からのパンチを受けたならば左手の表面パンチングミット部２で受け止める。このような練習方法は、従来の片面式のパンチングミットを用いて練習する場合と全く同じ方法である。
【００１３】
次に図５に示すように相手方の右手からのパンチンググローブ１１からのパンチがあった場合は、左手の手の平をクルリと返えして裏面パンチングミット部５で受け止める。このようは方法で左右のパンチングミット本体１の表裏面パンチングミット２、５で相手方のパンチンググローブ１１からのパンチをスピーディーに受け止めることによって、従来の片面式のパンチングミットよりも優れた練習の効果を上げることができる。
【００１４】
【発明の効果】
本発明は、硬質性のスポンヂを軟質性のカバーにて被覆しかつ裏面部に手の指を差し込む指差込部を付設してなるボクシングの練習用パンチングミットにおいて、前記パンチングミットの指差込部側に裏面用のパンチングミットを取り付けて表裏のパンチングミットを一体成型してなることを特徴とするボクシング練習用の両面式パンチングミットであり、また前記のボクシング練習用の両面式パンチングミットにおいて裏面側のパンチングミット部が表面側のパンチングミットと同形かつ同質素材で成型されるボクシング練習用の両面式パンチングミットであり、また前記のボクシング練習用パンチングミットにおいて表面パンチングミットの指差込部の表側に帯体を取り付けかつ該帯体の先端に手首を締め付ける手首締着帯を連着し、更に裏面パンチングミット部の手首側に弾材を取り付けてなるボクシング練習用の両面式パンチングミットであり、更に前記のボクシング練習用パンチングミットにおいて表裏部にパンチング部を有するパンチング本体を片手又は両手に装着し、相手方のパンチンググローブのパンチを表裏面のパンチング部の両面で防ぐボクシング練習用の両面式パンチングミットであるから、次のような多くの効果を有する。
ア、本発明のような両面式のパンチングミットにすれば、従来の片面式のパンチングミットよりも機能性が高められるので、高質なボクシングの練習をするこ
とができる。
イ、また本発明の両面式パンチングミットは、従来の表面側のみのパンチングミットと同形で同質の素材が一体成型されているので、従来の片面式のパンチグ
ンミットと全く同一の効果が得られる。
ウ、また前記の機能と効果を有する本発明からなる両面式のパンチングミットにすれば、構造がいたって簡単になっているので成型加工も容易で、しかも安価
に量産が可能となり経済性にも富んでいるものといえる。
エ、更に、従来の片面式よりも本発明の両面式にすることによって、パンチングミット本体を片手又は両手に確実かつ安全に装着することができるので練習時
に生ずる故障を未然に防ぐことができる。
【図面の簡単な説明】
【図１】本発明の両面式パンチングミットを示した斜視図。
【図２】図１に示したパンチングミットの拡大断面図。
【図３】図１に示したパンチングミットの分解図。
【図４】本発明の使用状態を示した説明概要図。
【図５】本発明の使用状態を示した説明概要図。
【図６】従来の片面式のパンチングミットを示した斜視図。
【符号の説明】
１　パンチングミット本体　　　　　　２　表面パンチングミット部
３　スポンヂ　　　　　　　　　　　　４　指差込部
５　裏面パンチングミット部　　　　　６　ミット連着帯
７　ミット保持帯　　　　　　　　　　８　保持具
９　手首締着帯　　　　　　　　　　　１０　マジックバンド
１１　パンチンググローブ　　　　　　２１　パンチングミット本体
２２　カバー　　　　　　　　　　　　２３　スポンヂ
２４　指差込部　　　　　　　　　　　２５　パンチンググローブ
Ａ　手首　　　　　　　　　　　　　　Ｂ　指
【図１】
2004135772.tif 000003
【図２】
2004135772.tif 000004
【図３】
2004135772.tif 000005
【図４】
2004135772.tif 000006
【図５】
2004135772.tif 000007
【図６】
2004135772.tif 000008